(57)【要約】【課題】  通信ネットワークを経由してダイレクトプリントとして送信されてくるデータの印刷条件を、受信する側の印刷装置において設定可能とする。【解決手段】  機器制御部は、ダイレクトプリントのデータを受信すると、その受信したデータの形式及び／または容量が許可されたデータ形式及び／またはデータ容量であるか否かをチェックし（Ｓ１０８，Ｓ１０９）、許可されたデータ形式及び／またはデータ容量である場合（ステップＳ１０９でＹｅｓと判断）には、ダイレクトプリントの印刷処理を行う。【選択図】  図１４
2006289908.tif 000002
【特許請求の範囲】
【請求項１】
受信したデータに基づいて印刷を行う印刷装置において、
受信したデータの印刷処理を可能とするデータの形式を予め設定しておく設定手段を備えており、この設定手段により設定された形式のデータを受信した場合に限って、その受信したデータの印刷を行うことを特徴とする印刷装置。
【請求項２】
受信したデータに基づいて印刷を行う印刷装置において、
受信したデータの印刷処理を可能とするデータの容量を予め設定しておく設定手段を備えており、この設定手段により設定された容量以下のデータを受信した場合に限って、その受信したデータの印刷を行うことを特徴とする印刷装置。
【請求項３】
受信したデータに基づいて印刷を行う印刷装置において、
受信したデータの印刷処理を可能とするデータの形式及び容量を予め設定しておく設定手段を備えており、この設定手段により設定された形式であって、かつ、設定された容量以下のデータを受信した場合に限って、その受信したデータの印刷を行うことを特徴とする印刷装置。
【発明の詳細な説明】
【技術分野】
【０００１】
本発明は、通信ネットワークを経由して受信したデータに基づいて受信データを印刷する印刷装置に係り、より詳細には、ダイレクトプリントで受信したデータの印刷処理を工夫した印刷装置に関する。
【背景技術】
【０００２】
従来の印刷方法は、ユーザがパソコン上で必要なアプリケーションを起動して、印刷するためのファイルを開き、その開いたファイルデータの画面から例えば、「ファイル」、「印刷」、「実行」を順次選択することで、印刷を開始するようになっている。
【０００３】
一方、最近では、このようなアプリケーションを開かずに、通信ネットワークを経由して外部から受信したデータをそのままプリンタ側で展開して即プリントアウトするといったダイレクトプリント機能が提案されている（例えば、特許文献１参照）。また、通信ネットワークに接続されたＰＤＦ(Portable Document Format)直接印刷機能付きプリンタにおいて、ネットワークプリンタとネットワーク端末装置との組み合わせにおけるＰＤＦファイルの印刷時間の短縮を図ったものも提案されている（例えば、特許文献２参照）。
【特許文献１】特開２００２−３５１６３７号公報
【特許文献２】特開２００２−２６４４４０号公報
【発明の開示】
【発明が解決しようとする課題】
【０００４】
従来のダイレクトプリントは、受信したデータを即プリントアウトするのが基本であるが、このダイレクトプリン機機能を有するプリンタを使用するユーザにとっては、受信したデータを全て無条件にプリントアウトする必要がないと考える場合もある。また、最近では、このダイレクトプリント機能を利用してダイレクトメールや迷惑メールを送信してくるといったケースも増えており、このようなダイレクトメールや迷惑メールが業務時間中に送信されてきた場合には、通常業務に支障をきたすといった問題が発生する。この問題は、特に迷惑メールに対して重大である。また、従業員や管理者のいない深夜等に大量のダイレクトメールや迷惑メールが送信されてきた場合には、用紙やインクを無駄に消費してしまうといった問題も発生する。
【０００５】
本発明はかかる問題点を解決すべく創案されたもので、その目的は、通信ネットワークを経由してダイレクトプリントとして送信されてくるデータの印刷条件や印刷形態等の種々の条件を、受信する側の印刷装置において設定可能とすることで上記の問題点を解決した印刷装置を提供することにある。
【課題を解決するための手段】
【０００６】
上記課題を解決するため、本発明の印刷装置は、通信ネットワーク経由で外部から送信されてきたデータをダイレクトにプリントアウトするダイレクトプリント機能付きの印刷装置であって、受信したデータの印刷処理を可能とするか否かを予め設定しておく設定手段を備えており、この設定手段により受信したデータの印刷処理を可能とする設定がされている場合に限って、その受信したデータの印刷を行うことを特徴とする。
【０００７】
ここで、設定手段は、例えば印刷装置の表示パネルにダイレクトプリントの設定画面を表示し、この画面よりユーザが所望する設定を行うことで、印刷処理の可否をはじめとする各種条件設定が可能な構成としている。
【０００８】
設定手段により設定可能な条件としては、受信したデータの印刷処理を可能とするデータの形式やデータの容量等の条件設定がある。
【０００９】
データ形式の条件設定とは、例えばＰＤＦ形式、ＴＩＦＦ（Tagged Image File Format）形式、ＨＴＭＬ（HyperText Markup Language）形式、テキスト形式等を設定することである。データ形式を設定することで、その設定されたデータ形式以外の形式で送信されてくるデータのダイレクトプリントを無効とすることができる。これにより、ダイレクトメールや迷惑メールにも対処することが可能となる。
【００１０】
また、データ容量の条件設定とは、例えばデータの最大容量を２ＭＢや４ＭＢ等に設定することである。データ容量を設定することで、例えば、大容量の迷惑メールがダイレクトプリントで送信されてきたような場合でも、これを無効とすることができる。これにより、土曜日や日曜日といった休日や、深夜等に送信されてくる大容量のダイレクトメールや迷惑メールに対処することが可能となる。
【００１１】
また、本発明では、上記条件設定を組み合わせて使用することも可能である。
【００１２】
なお、このようにダイレクトプリントを無効とし、受信したデータも破棄した場合には、ユーザ（従業員やシステム管理者）は、設定条件以外で送信されてきたデータが存在したこと自体を把握することができない。従って、このような不具合を解消するために、通信履歴（受信ログ）を残すようにしてもよい。
【発明の効果】
【００１３】
本発明の印刷装置によれば、通信ネットワークを経由してダイレクトプリントとして送信されてくるデータの印刷条件等を、受信する側の印刷装置において任意に設定することができるので、設置環境や設置先での使用状況等に応じたダイレクトプリント機能を実現することができる。これにより、上記印刷条件以外の条件で送られてくる例えばダイレクトメールや迷惑メールに対しては、ダイレクトプリント機能を稼働させることなく、これを無視（すなわち、受信データを破棄）することが可能となる。
【発明を実施するための最良の形態】
【００１４】
以下、本発明の実施の形態について図面を参照して説明する。
【００１５】
本実施形態では、本発明の印刷装置をデジタル複合機に搭載した場合について説明する。図１は、そのようなデジタル複合機の電気的構成の概略と、周辺機器との接続関係とを示している。
【００１６】
まず、このデジタル複合機１の電気的構成について説明する。
【００１７】
図１に示すように、デジタル複合機１は、画像読取り部２、操作部４、画像形成部６、機器制御部８、ＦＡＸモデム９、通信部１０、管理部１１、消去手段１２、ハードディスク（ＨＤ）１３、時計部１４、及びタイマー回路部１５を備えている。すなわち、本実施形態のデジタル複写機１は、ＦＡＸとネットワークプリンタの複合機となっている。
【００１８】
画像読取り部２は、ＣＣＤ２ａや原稿検知センサ２ｂなどを備えている。
【００１９】
操作部４は、後述するタッチパネルやメカキーである各種機能ボタン等からなる入力部４ａと、液晶等の表示パネルからなる表示部４ｂとを備えている。図２は、操作部４の構成を示している。表示部４ｂは、表示パネル４１の上面に透明なタッチパネル４２が配置された構造となっており、この表示部４ｂの横（図では右横）に各種機能ボタン４２とテンキー４３とが配置されている。さらに、テンキー４３の右横に、スタートボタンや全解除（ＣＡ）ボタンやクリア（Ｃ）ボタンが配置された構成となっている。
【００２０】
画像形成部６は、印字データを展開する作業用のメモリ６ｂを有する画像処理部６ａ、外部からきたデータを機器内で保護するためにデータを暗号化してハードディスク１３に一時的に退避（保存）させるとともに、ハードディスク１３に退避させているデータを復号化して画像処理部６ａに渡す暗号化／復号化部６ｃ、レーザスキャニングユニット（ＬＳＵ）を有する印字部６ｄなどを備えている。
【００２１】
機器制御部８は、機器全体の動作制御を管理する部分であり、ＣＰＵ、ＲＯＭ、ＲＡＭ等で構成されている。管理部１１は、機器の動作に必要な情報を管理する部分であり、例えば送受信で言えば、メールアドレスの管理やＦＡＸの電話番号の管理などを行う。また、ハードディスク１３に一時的に退避したデータの位置情報（アドレス情報）の管理や、プリンタモードで動作している場合に、当該プリンタへ出力するデータの位置情報の管理など、機器の動作に必要な情報を一括管理している。さらに、ユーザによって設定される、ダイレクトプリントデータの印刷処理の可否をはじめとする各種設定条件なども管理している。
【００２２】
通信部１０は、ネットワーク２１との間で双方向通信を行う通信部であり、本実施形態では、受信したデータを機器が扱えるデータに展開するためのメモリを備えたプリンタボードとなっている。従って、通信部１０では、受信したデータをこのメモリ上で展開しながら、作業用のメモリ６ｂに順次転送する。
【００２３】
消去手段１２は、機器制御部８の制御により、ハードディスク１３に一時的に退避させているデータを削除する処理を行う。また、時計部１４は現在時刻を計測し、タイマー回路部１５は、後述する一定時間等を計測する。
【００２４】
上記構成のデジタル複合機１において、ＦＡＸモデム９には、電話回線２２を介して例えば管理者が管理するファクシミリ装置３１が接続可能となっており、通信部１０には、ＬＡＮ等のネットワーク２１を介して端末装置（パソコン）３２，３３等が接続されているとともに、インターネット２３を介してインターネットＦＡＸ３４や外部パソコン３５等が接続可能となっている。本実施形態のデジタル複合機１は、このようなネットワーク環境の中に配置されている。
【００２５】
また、本実施形態のデジタル複合機１は、ＬＡＮ等のネットワーク２１に接続されている各端末装置３２，３３のプリンタドライバから出力指示を受け付けて印刷処理する機能、及び所定のデータ形式で出力の指示を受け付けてダイレクトプリントで印刷処理する機能の両方の機能を備えている。そして、本実施形態のデジタル複合機１では、プリンタドライバからの出力指示を受け付けてローカルエリアの印刷処理を実行する動作環境において、ダイレクトプリント機能を有効にするか、無効にするかといった設定や、ダイレクトプリント機能を有効としたときの印刷処理条件の設定を可能としたものである。
【００２６】
＜ダイレクトプリントの印刷処理条件を機器に設定する手順の説明＞
ここで、ダイレクトプリントの印刷処理条件を機器制御部８で自動設定させるための前処理として、ユーザがダイレクトプリントの印刷条件を機器に設定していく手順について、図３ないし図１２を参照して具体的に説明する。
【００２７】
ダイレクトプリントの印刷条件を機器に設定するに際して、まず、ユーザは、図２に示す入力部４ａの「ユーザ設定」と表記された機能ボタン４２ａを押す。これにより、表示部４ｂには図３に示すユーザ設定画面が表示される。このユーザ設定画面は機器の動作を設定するための画面であり、「総使用枚数表示」、「画面コントラスト」、「データリストプリント」、「日付・時刻設定」、「給紙トレイ設定」、「相手先登録」といった各種の設定キーが用意されている。ただし、これらの内容については本発明の要件ではないので、ここでは説明を省略する。また、このユーザ設定画面には、より詳細な設定を行うための「キーオペレータープログラム」と表記されたタッチキーが用意されている。従って、ユーザは、この「キーオペレータープログラム」と表記されたタッチキー４１ａにタッチすることにより、表示部４ｂには図４に示すユーザ設定／キーオペレータープログラムの設定画面が表示される。この設定画面では、例えば５桁のコード入力が要求されるので、図５に示すように、このコード入力窓４１ｂに順次コードを入力していくと、表示部４ｂには、図６に示すトーオペレータープログラムの設定画面が表示される。ただし、この設定画面は、主に機器管理者（当該機器の管理権限を有する管理者）やサービスマン等が操作する画面であり、一般の利用者が扱う画面ではない。
【００２８】
この設定画面には、「部門管理」、「省エネルギー設定」、「操作設定」、「デバイス設定」、「システム管理設定」、「コピー設定」、「ファックス／イメージ送信設定」、「リスト／レポートプリント」、「キーオペレーターコード変更」、「プロダクトキー入力」といった各種の設定キーが用意されている。ただし、本実施形態では後述するダイレクトプリントの条件設定を行うため、「デバイス設定」以外は使用しないので、「デバイス設定」以外の操作については説明を省略する。ここで、ユーザが「デバイス設定」と表記されたタッチキー４１ｃにタッチすると、図７に示すキーオペレータープログラムのデバイス設定画面が表示される。
【００２９】
このデバイス設定画面には、「原稿検知装置の設定」、「両面機能の使用禁止」、「メールピンスタッカーの使用禁止」、「原稿送り装置の使用禁止」、「給紙ディスクの使用禁止」に加え、本発明の特徴である「ダイレクトプリントの設定」といった各種の設定キーが用意されている。ここで、ユーザが「ダイレクトプリントの設定」と表記された横のチェック窓４１ｄにチェックを入れて、画面右上の「ＯＫ」ボタン４１ｅにタッチすると、図８に示すキーオペレータープログラムのダイレクトプリント設定画面が表示される。
【００３０】
このダイレクトプリント設定画面には、その上段に、ダイレクトプリントを許可するか否かを選択する選択ボタン４１ｆが用意されている。従って、ユーザが「する」と記載されたボタン４１ｆ１を選択し、画面右上の「ＯＫ」ボタン４１ｇにタッチすると、全てのダイレクトプリントを実行する設定となり、「しない」と記載されたボタン４１ｆ２を選択し、画面右上の「ＯＫ」ボタン４１ｇにタッチすると、全てのダイレクトプリントを禁止する設定となる。このように、ダイレクトプリント機能を有する機器において、ダイレクトプリント自体を無効とすることができる機能を備えていることは、例えばこの機器を使用するユーザが、受信したデータを全て無条件にプリントアウトする必要がないと考えている場合に便利な機能である。
【００３１】
一方、その下段には、月曜日から日曜日までの各曜日を指定する曜日指定ボタン４１ｈが設けられている。従って、例えばダイレクトプリントを許可するボタン４１ｆ１を選択し、次に、曜日指定ボタン４１ｈから許可する曜日を選択し、最後に画面右上の「ＯＫ」ボタン４１ｇにタッチすると、選択された曜日については、全てのダイレクトプリントを許可する設定となる。逆に言えば、選択されなかった曜日については、全てのダイレクトプリントを無効として扱うことになる。ここで、許可する曜日にタッチすると、その表示色が反転するようにしておけば、ユーザは、どの曜日を選択したのかを目視により確認することができるので、選択ミスを無くすことができる。このように、ダイレクトプリントを許可する曜日を設定可能とすることで、例えば従業員やシステム管理者が出勤している日（例えば、月曜日から金曜日まで等）はダイレクトプリントを許可し、従業員やシステム管理者がいない休日（例えば、土曜日や日曜日等）はダイレクトプリントを禁止することで、誰もいないときに送信されてきた大量のデータ（例えば、いたずらメール等）がダイレクトプリントで印刷されてしまうといった不具合を回避することができる。
【００３２】
さらに、曜日指定ボタン４１ｈの下段には、許可する時間帯を入力するための入力窓４１ｉが設けられている。従って、例えばダイレクトプリントを許可するボタン４１ｆ１を選択し、次に、入力窓４１ｉの左端のチェック窓４１ｉ１にチェックを入れた後、許可の開始時刻と終了時刻とを続けて入力し、最後に画面右上の「ＯＫ」ボタン４１ｇにタッチすると、指定された開始時刻と終了時刻とによって指定された時間帯については、全てのダイレクトプリントを許可する設定となる。逆に言えば、指定時間帯外では、全てのダイレクトプリントを無効として扱うことになる。例えば、従業員やシステム管理者の勤務時間である例えば午前９時から午後５時までの時間帯はダイレクトプリントを許可し、それ以外の時間帯はダイレクトプリントを禁止することで、勤務時間外に送信されてきた大量のデータ（例えば、いたずらメール等）がダイレクトプリントで印刷されてしまうといった不具合を回避することが可能となる。
【００３３】
なお、ダイレクトプリントを許可するボタン４１ｆ１を選択し、次に、曜日指定ボタン４１ｈから許可する曜日を選択し、次に、入力窓４１ｉの左端のチェック窓４１ｉ１にチェックを入れた後、許可の開始時刻と終了時刻とを続けて入力し、最後に画面右上の「ＯＫ」ボタン４１ｇにタッチすると、選択された曜日の、指定された時間帯については、全てのダイレクトプリントを許可する設定となる。すなわち、指定された曜日の、指定された時間帯以外でのダイレクトプリントは無効として扱うことになる。
【００３４】
次に、ユーザが、画面右端の下向きのカーソルボタン４１ｊをタッチすると、表示部４ｂには、図９に示すキーオペレータープログラムのダイレクトプリント設定画面が表示される。
【００３５】
このダイレクトプリント設定画面には、その上段に、ダイレクトプリントを許可する端末装置のＩＰアドレスを入力する入力窓４１ｋが用意されている。従って、ユーザがこの入力窓４１ｋにダイレクトプリントを許可する端末装置のＩＰアドレスを入力し、次に、その下にある「登録」ボタン４１ｍにタッチし、最後に画面右上の「ＯＫ」ボタン４１ｇにタッチすると、登録されたＩＰアドレスから送信されてくるデータについては、全てのダイレクトプリントを許可する設定となる。なお、許可する端末装置を複数登録する場合には、入力窓４１ｋへのＩＰアドレスの入力と、「登録」ボタン４１ｍのタッチとを複数回繰り返し行い、最後に画面右上の「ＯＫ」ボタン４１ｇにタッチすればよい。
【００３６】
この場合、各端末装置のＩＰアドレスの入力については、本実施形態では、入力窓４１ｋの下段にＩＰアドレスの一覧を表示する表示窓４１ｎが設けられているので、この表示窓４１ｎに表示されたＩＰアドレスの一覧から選択してもよい。
【００３７】
ここで、図９に示すＩＰアドレスは、ＩＰアドレスクラスがＣクラスのＩＰアドレスとなっている。すなわち、ピリオドで区切られた３桁（８ビット）の４つのフィールドのうち、最初の３つ（左から３つ）のフィールドにネットワーク番号が割り当てられており、右端の１つのフィールドにノード番号が割り当てられている。そして、図９に示す例では、ネットワーク番号のみが入力されており、この状態で登録した場合には、そのネットワークに接続されている全ての端末装置からのダイレクトプリントを許可することになる。もちろん、ノード番号まで入力すれば、同じネットワークに接続された同じグループの端末装置であっても、ダイレクトプリントを許可する端末装置と許可しない端末装置とを区別して設定することが可能である。
【００３８】
次に、ユーザが、画面右端の下向きのカーソルボタン４１ｊをタッチすると、表示部４ｂには、図１０に示すキーオペレータープログラムのダイレクトプリント設定画面が表示される。
【００３９】
このダイレクトプリント設定画面には、その上段に、ダイレクトプリントを許可するデータ形式を選択する選択画面４１ｐが用意されている。従って、ユーザは、選択画面４１ｐに表示されているデータ形式の中から、ダイレクトプリントを許可するデータ形式の前のチェック窓にチェックを入れ、画面右上の「ＯＫ」ボタン４１ｇにタッチする。これにより、選択されたデータ形式のデータを受信した場合にのみ、ダイレクトプリントを許可する設定となる。図１０に示す例では、ＰＤＦ形式にのみチェックが入っている。従って、この設定では、受信したデータがＴＩＦＦ形式である場合には、ダイレクトプリントを許可しないことになる。このように、ダイレクトプリントを許可するデータ形式を設定可能とすることで、例えば社外にいる営業マンから通信ネットワーク経由で送られてくる日報や、他の事業所との間でやり取りするデータに関して、予めデータ形式を決めておくことにより、これら営業マンの日報や他の事業者からのデータは確実に印刷処理することができる。これに対し、例えはＴＩＦＦ形式で送られてきたデータは、これを無視（破棄）することが可能となる。
【００４０】
また、選択画面４１ｐの下には、ダイレクトプリントを許可するデータ容量を設定する設定画面４１ｑが用意されている。この設定画面４１ｑには、データ容量の制限を有効とするか否かを選択するためのチェック窓４１ｑ１と、データ容量を制限する場合に、その最大容量を入力するための入力窓４１ｑ２とが設けられている。従って、ユーザは、データ容量も制限の対象とする場合には、このチェック窓４１ｑ１にチェックを入れ、入力窓に最大容量（許容する限界量）を入力して、画面右上の「ＯＫ」ボタン４１ｇにタッチする。これにより、設定されたデータ容量以下のデータを受信した場合にのみ、ダイレクトプリントを許可する設定となる。図１０に示す例では、最大容量が２ＭＢに設定されているので、受信したデータの容量が２ＭＢ以上である場合には、これを無視（破棄）し、印刷処理は行わないことになる。
【００４１】
次に、ユーザが、画面右端の下向きのカーソルボタン４１ｊをタッチすると、表示部４ｂには、図１１に示すキーオペレータープログラムのダイレクトプリント設定画面が表示される。
【００４２】
このダイレクトプリント設定画面には、その上段に、ダイレクトプリントを実行する場合の出力形態を選択する選択画面４１ｒが用意されている。ここで、出力形態とは、本実施形態では、１頁分のデータを１頁としてそのまま印刷する等倍印刷形態、２頁分のデータを１頁として２分割印刷する２イン１の印刷形態、４頁分のデータを１頁として４分割印刷する４イン１の印刷形態、２頁分のデータを１枚の用紙の両面にそれぞれ印刷する両面印刷形態となっている。従って、ユーザは、選択画面４１ｒに表示されている出力形態の中から、ダイレクトプリント時の出力形態を選択して、その出力形態の前のチェック窓にチェックを入れ、画面右上の「ＯＫ」ボタン４１ｇにタッチする。これにより、受信したデータを、選択された出力形態でダイレクトプリントする設定となる。図１１に示す例では、等倍印刷形態にチェックが入っている。従って、この設定では、受信したデータを等倍でそのまま印刷することになる。
【００４３】
次に、ユーザが、画面右端の下向きのカーソルボタン４１ｊをタッチすると、表示部４ｂには、図１２に示すキーオペレータープログラムのダイレクトプリント設定画面が表示される。
【００４４】
このダイレクトプリント設定画面は、ダイレクトプリントのデータを受信したときに、そのデータをどのように扱うかを設定するための設定画面である。具体的には、受信と共に印刷する、いわゆる従来通りのダイレクトプリントに設定する設定窓４１ｓ１、印刷せずに一旦ホールドし、その後ユーザが機器の前まで行って印刷指示を直接入力することで印刷するように設定する設定窓４１ｓ２、印刷しないで全て破棄するように設定する設定窓４１ｓ３を備えている。
【００４５】
従って、ユーザが設定窓４１ｓ１にチェックを入れ、画面右上の「ＯＫ」ボタン４１ｇにタッチすると、従来通り、ダイレクトプリントで受信したデータを即印刷する設定となる。また、ユーザが設定窓４１ｓ２にチェックを入れ、画面右上の「ＯＫ」ボタン４１ｇにタッチすると、ダイレクトプリントで受信したデータを全て一旦ホールドし、その後、ユーザの印刷指示によって印刷する設定となる。
【００４６】
さらに、ユーザが設定窓４１ｓ３にチェックを入れ、画面右上の「ＯＫ」ボタン４１ｇにタッチすると、ダイレクトプリントで受信したデータを全て破棄する設定となる。なお、このようにダイレクトプリントを無効として、受信したデータを全て破棄した場合には、ユーザ（従業員やシステム管理者等）は、この破棄したデータが存在したこと自体を把握することができない。従って、このような不具合を解消するために、本実施形態では、全ての受信データの通信履歴（受信ログ）を管理部１１に保存するようにすればよい。この場合、破棄したデータについては、破棄したことを示す情報を付加して残してもよい。
【００４７】
なお、上記で説明した図８〜図１２の各種印刷処理条件の設定に際し、図８の下段に示す曜日設定、図９に示すＩＰアドレスの設定、図１０の上段に示すデータ形式の設定、図１０の下段に示すデータ容量の設定、図１１に示す出力形態の設定、図１２に示すダイレクトプリント自体の扱いの設定は、それぞれ単独での設定が可能であるとともに、任意に組み合わせて設定することも可能である。
【００４８】
図１３は、上記各設定を任意に組み合わせて設定した場合の組み合わせの一例を示している。
【００４９】
例えば、設定番号１のケースは、図８のダイレクトプリントを許可するボタン４１ｆ１を選択し、次に、曜日指定ボタン４１ｈから許可する曜日として月曜日〜金曜日を選択し、次に、時間帯の入力窓４１ｉに「９：００〜１７：００」を入力し、次に、図９のＩＰアドレスの入力窓４１ｋに「１９２．１６８．０」を入力し、最後に画面右上の「ＯＫ」ボタン４１ｇにタッチした場合の設定内容である。
【００５０】
また、設定番号２のケースは、図８のダイレクトプリントを許可するボタン４１ｆ１を選択し、次に、曜日指定ボタン４１ｈから許可する曜日として月曜日〜金曜日を選択し、次に、図９のＩＰアドレスの入力窓４１ｋに「１９２．１６８．０」を入力し、次に、図１０の上段の選択画面４１ｐに表示されているデータ形式のなからＰＤＦ形式を選択し、次に、図１１の選択画面４１ｒに表示されている出力形態の中から２分割印刷（２イン１）を選択し、最後に画面右上の「ＯＫ」ボタン４１ｇにタッチした場合の設定内容である。
【００５１】
また、設定番号３のケースは、図８のダイレクトプリントを許可するボタン４１ｆ１を選択し、次に、下段の時間帯の入力窓４１ｉに「８：００〜２０：００」を入力し、次に、図９のＩＰアドレスの入力窓４１ｋに「１９２．１６８．０」を入力し、次に、図１０の下段のデータ容量の設定画面４１ｑに許容するデータ容量として２ＭＢを入力し、最後に画面右上の「ＯＫ」ボタン４１ｇにタッチした場合の設定内容である。
【００５２】
また、設定番号４のケースは、図８のダイレクトプリントを許可するボタン４１ｆ１を選択し、次に、曜日指定ボタン４１ｈから許可する曜日として月，水，金曜日を選択し、次に、時間帯の入力窓４１ｉに「８：００〜１７：００」を入力し、次に、図１０の上段の選択画面４１ｐに表示されているデータ形式のなからＰＤＦ形式を選択し、次に、図１０の下段のデータ容量の設定画面４１ｑに許容するデータ容量として４ＭＢを入力し、次に、図１１の選択画面４１ｒに表示されている出力形態の中から４分割印刷（４イン１）を選択し、最後に画面右上の「ＯＫ」ボタン４１ｇにタッチした場合の設定内容である。
【００５３】
また、設定番号ｎのケースは、図８のダイレクトプリントを許可するボタン４１ｆ１を選択し、次に、図９のＩＰアドレスの入力窓４１ｋに「１９２．１６８．０・××」を入力し、次に、図１０の上段の選択画面４１ｐに表示されているデータ形式の中からＰＤＦ形式を選択し、次に、図１０の下段のデータ容量の設定画面４１ｑに許容するデータ容量として２ＭＢを入力し、次に、図１１の選択画面４１ｒに表示されている出力形態の中から等倍印刷（１イン１）を選択し、最後に画面右上の「ＯＫ」ボタン４１ｇにタッチした場合の設定内容である。
【００５４】
また、設定番号ｎ＋１のケースは、図８のダイレクトプリントを許可するボタン４１ｆ１を選択し、次に、図９のＩＰアドレスの入力窓４１ｋに「１９２．１６８．０・×××」を入力し、次に、図１０の上段の選択画面４１ｐに表示されているデータ形式の中からＰＤＦ形式とＴＩＦＦ形式とを選択し、次に、図１０の下段のデータ容量の設定画面４１ｑに許容するデータ容量として４ＭＢを入力し、次に、図１１の選択画面４１ｒに表示されている出力形態の中から２分割印刷（２イン１）を選択し、最後に画面右上の「ＯＫ」ボタン４１ｇにタッチした場合の設定内容である。
【００５５】
また、設定番号ｎ＋２のケースは、図８のダイレクトプリントを許可するボタン４１ｆ１を選択し、次に、図９のＩＰアドレスの入力窓４１ｋに「１９２．１６８．０・×」を入力し、次に、図１０の上段の選択画面４１ｐに表示されているデータ形式の中からＴＩＦＦ形式を選択し、次に、図１０の下段のデータ容量の設定画面４１ｑに許容するデータ容量として６ＭＢを入力し、次に、図１１の選択画面４１ｒに表示されている出力形態の中から４分割印刷（４イン１）を選択し、最後に画面右上の「ＯＫ」ボタン４１ｇにタッチした場合の設定内容である。
【００５６】
さらに、設定番号ｎ＋３のケースは、図８のダイレクトプリントを許可するボタン４１ｆ１を選択し、次に、図９のＩＰアドレスの入力窓４１ｋに「１９２．１６８．０・△△」を入力し、次に、図１０の上段の選択画面４１ｐに表示されているデータ形式の中からＰＤＦ形式を選択し、次に、図１０の下段のデータ容量の設定画面４１ｑに許容するデータ容量として１ＭＢを入力し、次に、図１１の選択画面４１ｒに表示されている出力形態の中から等倍印刷（１イン１）を選択し、最後に画面右上の「ＯＫ」ボタン４１ｇにタッチした場合の設定内容である。
【００５７】
すなわち、設定番号ｎ〜ｎ＋３のケースは、端末装置ごとにデータ形式、データ容量、及び出力形態を設定した例である。この他にも、データ形式ごとに出力形態を設定することも可能である。
【００５８】
なお、上記の説明では、これらの設定条件以外の条件で送信されてきたデータについては、全て無視（破棄）する構成として説明しているが、一律に破棄してしまうと後で問題となる場合も考えられるので、設定条件以外の条件で送信されてきたデータについては、一定時間（例えば、１時間等）の間だけ一旦ホールドし、その間に出力指示が入力されなかった場合にデータを破棄するようにしてもよい。この場合、通信ネットワークを経由してダイレクトプリントで送られてくるデータについては、これを受ける側のユーザ（従業員やシステム管理者等）が誰も知らない場合があるため、ダイレクトプリントで送られてきたデータを一旦ホールドしている旨を、予め設定しておいた担当者（例えば、システム管理者等）に通知するように構成してもよい。これにより、本来破棄してはいけないデータであった場合に、通知を受けた担当者が機器のところまで行ってこれを確認し、印刷するのかしないのかを判断することができる。
【００５９】
＜ダイレクトプリントデータ受信時の処理の説明＞
次に、上記のようにして印刷条件が設定されている場合において、ダイレクトプリントのデータを受信したときの機器の処理動作について、図１４に示すフローチャートを参照して説明する。
【００６０】
ダイレクトプリントのデータを受信すると、その受信日時等の受信履歴を残すために、機器制御部８は、その受信ログを管理部１１に格納する（ステップＳ１０１）。この後、上記で設定された印刷条件の有無を順次確認する。
【００６１】
まず、その受信日が許可された曜日であるか否かをチェックする（ステップＳ１０２，Ｓ１０３）。ここで、許可された曜日とは、図８に示す曜日指定ボタン４１ｈによって曜日を指定して設定した場合の他に、曜日の指定を全く行わなかった場合も含まれる。
【００６２】
その結果、許可された曜日である場合（ステップＳ１０３でＹｅｓと判断された場合）には、次に受信時刻が許可された時間帯であるか否かをチェックする（ステップＳ１０４，Ｓ１０５）。ここで、許可された時間帯とは、図８に示す時間帯の入力窓４１ｉに許可する時間帯を入力して設定した場合の他に、ここでの時間指定を全く行わなかった場合も含まれる。
【００６３】
その結果、許可された時間帯内での受信である場合（ステップＳ１０５でＹｅｓと判断された場合）には、次に、受信したデータの送信元の端末装置が許可された端末装置からの送信であるか否かをチェックする（ステップＳ１０６，Ｓ１０７）。ここで、許可された端末装置（ＩＰアドレス）とは、図９に示すＩＰアドレスの入力窓４１ｋにＩＰアドレスを入力して設定した場合の他に、ＩＰアドレスの入力を全く行わなかった場合も含まれる。
【００６４】
その結果、許可された端末装置からの受信である場合（ステップＳ１０７でＹｅｓと判断された場合）には、次に、受信したデータの形式及び／または容量が、許可されたデータ形式及び／またはデータ容量であるか否かをチェックする（ステップＳ１０８，Ｓ１０９）。ここで、許可されたデータ形式とは、図１０の上段に示す選択画面４１ｐでデータ形式を選択して設定した場合の他に、ここでの選択を全く行わなかった場合も含まれる。また、許可されたデータ容量とは、図１０の下段に示す設定画面４１ｑでデータ容量を入力して設定した場合の他に、ここでの設定を全く行わなかった場合も含まれる。
【００６５】
その結果、受信したデータの形式及び／または容量が許可されたデータ形式及び／またはデータ容量である場合（ステップＳ１０９でＹｅｓと判断された場合）には、次に、受信データの出力形態が設定されているか否かをチェックする（ステップＳ１１０）。ここで、出力形態は、図１１に示す選択画面４１ｒによって選択された出力形態である。ただし、ここで選択されていない場合には、通常の出力形態、すなわち、受信したデータを等倍でそのまま印刷する設定となる。
【００６６】
以上の処理を経て最終出力形態が確定すると（ステップＳ１１１）、印字部６ｄは、その出力形態で出力（印刷）処理を行う（ステップＳ１１２）。
【００６７】
一方、上記各判断ステップＳ１０３，Ｓ１０５，Ｓ１０７，Ｓ１０９でＮｏと判断された場合、すなわち受信したデータが、設定条件外での受信であった場合には、その受信データを一旦ホールドするように設定されているか否かを確認し（ステップＳ１１３）、一旦ホールドするように設定されていない場合（ステップＳ１１３でＮｏと判断された場合）には、受信データをそのまま破棄して（ステップＳ１１４）、処理を終了する。
【００６８】
一方、一旦ホールドするように設定されている場合（ステップＳ１１３でＹｅｓと判断された場合）には、受信データをハードディスク１３に一時的に退避させてホールド（保存）するとともに、予め設定されている担当者（例えば、システム管理者等）に、ダイレクトプリントで送られてきたデータをホールドしている旨を、例えばメール等にて通知する（ステップＳ１１５）。この後、ホールドしているデータの出力指示が入力されたか否かを監視するとともに（ステップＳ１１６）、タイマー回路部１５を起動して一定時間（例えば１時間等）の計測を開始し、メール通知後に一定時間が経過したか否かを監視する（ステップＳ１１７）。そして、一定時間が経過する前に、機器の操作部４より印刷指示が入力されると（ステップＳ１１６でＹｅｓと判断されると）、印字部６ｄは、通常の出力形態（等倍印刷）で出力（印刷）処理を行う（ステップＳ１１２）。一方、印刷指示が入力されることなく一定時間が経過した場合（ステップＳ１１７でＹｅｓと判断された場合）には、ホールドしているデータを破棄（ハードディスク１３から消去）して、処理を終了する。
【図面の簡単な説明】
【００６９】
【図１】本発明の一実施形態に係るデジタル複合機の電気的構成の概略及び周辺機器との接続関係を示す全体構成図である。
【図２】操作部の構成を示す説明図である。
【図３】プリントアウトの印刷処理条件を機器に設定していく手順を示す説明図である。
【図４】プリントアウトの印刷処理条件を機器に設定していく手順を示す説明図である。
【図５】プリントアウトの印刷処理条件を機器に設定していく手順を示す説明図である。
【図６】プリントアウトの印刷処理条件を機器に設定していく手順を示す説明図である。
【図７】プリントアウトの印刷処理条件を機器に設定していく手順を示す説明図である。
【図８】プリントアウトの印刷処理条件を機器に設定していく手順を示す説明図である。
【図９】プリントアウトの印刷処理条件を機器に設定していく手順を示す説明図である。
【図１０】ダイレクトプリントのデータを受信したときの機器の処理動作を示すフローチャートである。
【図１１】プリントアウトの印刷処理条件を機器に設定していく手順を示す説明図である。
【図１２】プリントアウトの印刷処理条件を機器に設定していく手順を示す説明図である。
【図１３】ダイレクトプリントの印刷処理条件を任意に組み合わせて設定した場合の組み合わせの一例を一覧形式にして示す説明図である。
【図１４】各種印刷条件が設定されている場合において、ダイレクトプリントのデータを受信したときの機器の印刷処理動作を示すフローチャートである。
【符号の説明】
【００７０】
１  デジタル複合機
２  画像読み取り部
２ａ  ＣＣＤ
２ｂ  原稿検知センサ
４  操作部
４ａ  入力部
４ｂ  表示部
６  画像形成部
６ａ  画像処理部
６ｂ  作業用メモリ
６ｃ  暗号化／復号化部
６ｄ  印字部
８  機器制御部
９  ＦＡＸモデム
１０  通信部
１１  管理部
１２  消去手段
１３  ハードディスク（ＨＤ）
１４  時計部
１５  タイマー回路部
２１  ネットワーク（ＬＡＮ）
２２  電話回線網
２３  インターネット
３１  ファクシミリ装置
３３，３３  端末装置（パソコン）
３４  インターネットＦＡＸ
３５  外部パソコン
【図１】
2006289908.tif 000003
【図２】
2006289908.tif 000004
【図３】
2006289908.tif 000005
【図４】
2006289908.tif 000006
【図５】
2006289908.tif 000007
【図６】
2006289908.tif 000008
【図７】
2006289908.tif 000009
【図８】
2006289908.tif 000010
【図９】
2006289908.tif 000011
【図１０】
2006289908.tif 000012
【図１１】
2006289908.tif 000013
【図１２】
2006289908.tif 000014
【図１３】
2006289908.tif 000015
【図１４】
2006289908.tif 000016